(57)【要約】      （修正有）【課題】簡単な操作で一枚のシートから丸みを帯びたキャラクターの立体形状を作成することが可能な立体形状用シートを提供する。【解決手段】本体部１０は、キャラクターの顔１０ａを中央付近に記載することで、キャラクターの顔に対して第一の部分１０ｂと第二の部分１０ｃとを区分した、シート状である。外縁用の切り込みは、キャラクターの顔１０ａの外縁の一部を切り取ることで、キャラクターの顔１０ａを第二の部分１０ｃに接続させる。差込用の第一の切り込み１２ａは、第一の部分１０ｂに設けられる。差込用の第二の切り込み１２ｂは、第二の部分１０ｃに設けられる。第一の部分１０ｂを第二の部分１０ｃに向かって湾曲させることで、キャラクターの顔１０ａを立て、差込用の第一の切り込み１２ａを差込用の第二の切り込み１２ｂに対向させて、差し込むことで、キャラクターの顔１０ａを浮き立たせた立体形状を形成する。【選択図】図３
2019076412.tif 000002
【特許請求の範囲】
【請求項１】
キャラクターの顔を表面の中央付近に記載することで、前記キャラクターの顔に対して上方の第一の部分と下方の第二の部分とを区分したシート状の本体部と、
前記キャラクターの顔の外縁の一部を切り取ることで、前記キャラクターの顔を前記第二の部分に接続させる外縁用の切り込みと、
前記第一の部分に設けられた差込用の第一の切り込みと、
前記第二の部分に設けられた差込用の第二の切り込みと、
を備え、
前記第一の部分を前記第二の部分に向かって湾曲させることで、前記キャラクターの顔を立て、前記差込用の第一の切り込みを前記差込用の第二の切り込みに対向させて、差し込むことで、前記キャラクターの顔を浮き立たせた立体形状を形成する
立体形状用シート。
【請求項２】
キャラクターの顔を表面の中央付近に記載することで、前記キャラクターの顔に対して上方の第一の部分と下方の第二の部分とを区分したシート状の本体部と、
前記本体部の端部から前記キャラクターの顔の上方の外縁の一部まで切り取ることで、前記キャラクターの顔を前記第一の部分に接続させる外縁用の第一の切り込みと、
前記本体部の端部から前記キャラクターの顔の下方の外縁の一部まで切り取ることで、前記キャラクターの顔を前記第二の部分に接続させる外縁用の第二の切り込みと、
前記第一の部分に設けられた差込用の第一の切り込みと、
前記第二の部分に設けられた差込用の第二の切り込みと、
を備え、
前記第一の部分を前記第二の部分に向かって湾曲させることで、前記キャラクターの顔を立て、湾曲させた前記第一の部分を前記外縁用の第二の切り込みに入れ込み、前記差込用の第一の切り込みを前記差込用の第二の切り込みに対向させて、差し込むことで、前記キャラクターの顔を浮き立たせた立体形状を形成する
立体形状用シート。
【請求項３】
キャラクターの顔及び胴体を表面の中央付近に記載することで、前記キャラクターの顔及び胴体に対して左側の第一の部分と右側の第二の部分とを区分したシート状の本体部と、
前記本体部の上側中央の端部から前記キャラクターの顔及び胴体の左側の外縁の一部まで切り取ることで、前記キャラクターの顔及び胴体を前記第一の部分に接続させる外縁用の第一の切り込みと、
前記本体部の上側中央の端部から前記キャラクターの顔及び胴体の右側の外縁の一部まで切り取ることで、前記キャラクターの顔及び胴体を前記第二の部分に接続させる外縁用の第二の切り込みと、
前記第一の部分に設けられた差込用の第一の切り込みと、
前記第二の部分に設けられた差込用の第二の切り込みと、
前記第二の部分に設けられ、前記差込用の第二の切り込みと対向する差込用の第三の切り込みと、
を備え、
前記キャラクターの顔を湾曲させて前記第一の部分の差込用の第一の切り込みに差し込むことで、前記キャラクターの顔を立て、前記キャラクターの顔及び胴体と前記第一の部分とを前記第二の部分に向かって湾曲させることで、前記キャラクターの顔及び胴体と前記第一の部分を立位させ、前記第二の部分を、湾曲させた前記キャラクターの顔及び胴体を挟むように湾曲させて筒を形成し、前記差込用の第二の切り込みを前記差込用の第三の切り込みに対向させて、差し込むことで、前記キャラクターの顔を浮き立たせた立体形状を形成する
立体形状用シート。
【請求項４】
キャラクターの顔を表面の中央付近に記載することで、前記キャラクターの顔に対して下方の第一の部分と右方の第二の部分とを区分したシート状の本体部と、
前記本体部の端部から前記キャラクターの顔の下方の外縁の一部まで切り取ることで、前記キャラクターの顔を前記第一の部分に接続させる外縁用の切り込みと、
前記第一の部分に設けられた差込用の第一の切り込みと、
前記第二の部分に設けられた差込用の第二の切り込みと、
前記第二の部分に設けられた胴体用の第一の切り込みと、
前記第二の部分に設けられた胴体差込用の第一の切り込みと、
前記第二の部分で、且つ、前記胴体差込用の第一の切り込みの近傍に設けられた胴体差込用の第二の切り込みと、
前記第二の部分に設けられた胴体用の第二の切り込みと、
前記第二の部分に設けられた胴体差込用の第三の切り込みと、
前記第二の部分で、且つ、前記胴体差込用の第二の切り込みの近傍に設けられた胴体差込用の第四の切り込みと、
を備え、
前記第一の部分を前記第二の部分に向かって湾曲させることで、前記キャラクターの顔を立て、前記差込用の第一の切り込みを前記差込用の第二の切り込みに対向させて、差し込み、前記胴体用の第一の切り込みにより形成された前記第二の部分を湾曲させることで、前記胴体差込用の第一の切り込みを前記胴体差込用の第二の切り込みに対向させて、差し込み、前記胴体用の第二の切り込みにより形成された前記第二の部分を湾曲させることで、前記胴体差込用の第三の切り込みを前記胴体差込用の第四の切り込みに対向させて、差し込むことで、前記キャラクターの顔を浮き立たせた立体形状を形成する
立体形状用シート。
【請求項５】
キャラクターの顔及び胴体を表面の中央付近に記載することで、前記キャラクターの顔及び胴体に対して左側上方の第一の部分と右側上方の第二の部分とを区分したシート状の本体部と、
前記本体部の端部から前記キャラクターの胴体の左側上方の外縁の一部まで切り取ることで、前記キャラクターの顔及び胴体を前記第一の部分及び前記第二の部分に接続させる外縁用の切り込みと、
前記第一の部分に設けられた差込用の第一の切り込みと、
前記第二の部分に設けられた差込用の第二の切り込みと、
前記キャラクターの胴体に設けられた胴体用の切り込みと、
前記キャラクターの胴体に設けられた胴体差込用の第一の切り込みと、
前記キャラクターの胴体で、且つ、前記胴体差込用の第一の切り込みの近傍に設けられた胴体差込用の第二の切り込みと、
を備え、
前記第一の部分を前記第二の部分に向かって湾曲させることで、前記キャラクターの顔及び胴体を立て、前記差込用の第一の切り込みを前記差込用の第二の切り込みに対向させて、差し込み、前記胴体用の切り込みにより形成されたキャラクターの顔及び胴体の部分を湾曲させることで、前記胴体差込用の第一の切り込みを前記胴体差込用の第二の切り込みに対向させて、差し込むことで、前記キャラクターの顔及び胴体を浮き立たせた立体形状を形成する
立体形状用シート。
【発明の詳細な説明】
【技術分野】
【０００１】
本発明は、立体形状用シートに関する。
【背景技術】
【０００２】
従来より、簡単な操作で立体物を構成する折シートが開発されている。特開２００２−３２６４７８号公報（特許文献１）には、予め、郵送用カードに立体物と外枠に分離、形成するための切り込みや折り込み線等を入れておき、切り込みや折り込み線等に沿って郵送用カードに切り離しや折り曲げを行い、立体物を作り、立体物の根元に郵送用カードの外枠を折り返し引っかけたとき、立体物を立たせる安定した支えが形成される郵送用カードが記載されている。
【０００３】
又、特開２０１１−２３０７９９号公報（特許文献２）には、立体形状において、四角形状の第１の面と、この第１の面に一辺を共有して隣接する複数の三角形状の第２の面とを備え、奇数面を有する中空多面体であって、中空多面体の各面を構成する基本要素部材と、前記中空多面体の頂部交点を経て直線状に延びる稜線に沿って開口可能な形態で、前記複数の基本要素部材を互いにヒンジ式に連結する連結部とを備えており、開口部の開閉操作により立体形状の中空多面体を形成できる折り畳み式中空多面体が開示されている。
【０００４】
又、特開２０１２−６１０１５号公報（特許文献３）には、特定の作品を制作するために必要な複数の折り線、及び、複数の折り順マークが、表側面及び裏側面の適切な位置にそれぞれ表示された折り紙用紙が開示されている。この折り紙用紙は、前記折り順マークは、対応する折り線の近傍に表示され、各折り線の折り順を示す数字、文字、又は、記号と、その折り線による折り工程を実行する際にセットすべき、制作者を基準とする折り紙用紙の向きを指定する記号とによって構成され、作品の完成までに要する複数の工程のうち、折り曲げ片をいずれか一方側へ一回折り曲げることにより完了させることができる工程において前記折り曲げ片を規定する折り線のすべてを、前記表側面及び裏側面のうち、谷折り側となる面に表示している。
【先行技術文献】
【特許文献】
【０００５】
【特許文献１】特開２００２−３２６４７８号公報
【特許文献２】特開２０１１−２３０７９９号公報
【特許文献３】特開２０１２−６１０１５号公報
【発明の概要】
【発明が解決しようとする課題】
【０００６】
従来の立体形状用シートでは、キャラクターの外縁の一部を切り取り、シート本体を折り曲げて、キャラクターの顔を立位させる程度であり、湾曲させる（撓ませる）という観点が無く、ユーザへの驚きや楽しさが物足りないという課題がある。
【０００７】
上述した特許文献１に記載の技術では、切り取ったキャラクターが立位するだけであり、湾曲工程が無く、奥行方向の立体性が無い。上述した特許文献２に記載の技術では、中空多面体しか形成することが出来ない。上述した特許文献３に記載の技術では、折る手順を間違えることが無いものの、キャラクターを自由に設定して立体形状にすることが出来ない。
【０００８】
そこで、本発明は、前記課題を解決するためになされたものであり、簡単な操作で一枚のシートから丸みを帯びたキャラクターの立体形状を作成することが可能な立体形状用シートを提供することを目的とする。
【課題を解決するための手段】
【０００９】
本発明者は、鋭意研究を重ねた結果、本発明に係る新規な立体形状用シートを完成させた。即ち、本発明に係る立体形状用シートは、本体部と、外縁用の切り込みと、差込用の第一の切り込みと、差込用の第二の切り込みと、を備える。本体部は、キャラクターの顔（又は顔及び胴体）を中央付近に記載し、前記キャラクターの顔に対して第一の部分と第二の部分とを区分し、シート状である。外縁用の切り込みは、前記キャラクターの顔の外縁の一部まで切り取ることで、前記キャラクターの顔を前記第一の部分又は前記第二の部分に接続させる。差込用の第一の切り込みは、前記第一の部分に設けられる。差込用の第二の切り込みは、前記第二の部分に設けられる。本発明に係る立体形状用シートは、前記第一の部分を前記第二の部分に向かって湾曲させることで、前記キャラクターの顔を立て、前記差込用の第一の切り込みを前記差込用の第二の切り込みに対向させて、差し込むことで、前記キャラクターの顔を浮き立たせた立体形状を形成する。
【００１０】
本発明では、外縁用の切り込みを二つ設けても良いし、外縁用の切り込みを二つ設けるとともに、差込用の切り込みを三つ設けても良い。又、本発明では、外縁用の切り込みを一つ、差込用の切り込みを二つ設けるとともに、胴体用の切り込みを二つ、胴体差込用の切り込みを四つ設けても良いし、外縁用の切り込みを一つ、差込用の切り込みを二つ設けるとともに、胴体用の切り込みを一つ、胴体差込用の切り込みを二つ設けても良い。
【発明の効果】
【００１１】
本発明によれば、簡単な操作で一枚のシートから丸みを帯びたキャラクターの立体形状を作成することが可能となる。
【図面の簡単な説明】
【００１２】
【図１】本発明に係る立体形状用シートの第一の実施形態の正面図（図１Ａ）と、湾曲時の斜視図（図１Ｂ）と、である。
【図２】本発明に係る立体形状用シートの第一の実施形態の湾曲時の第一の背面図（図２Ａ）と、第二の背面図（図２Ｂ）とである。
【図３】本発明に係る立体形状用シートの第一の実施形態の湾曲時の第三の背面図（図３Ａ）と、第二の正面図（図３Ｂ）とである。
【図４】本発明に係る立体形状用シートの他の実施形態の正面図（図４Ａ）と、湾曲時の正面図（図４Ｂ）とである。
【図５】本発明に係る立体形状用シートの他の実施形態の正面図（図５Ａ）と、湾曲時の正面図（図５Ｂ）とである。
【図６】本発明に係る立体形状用シートの他の実施形態の正面図（図６Ａ）と、湾曲時の正面図（図６Ｂ）とである。
【図７】本発明に係る立体形状用シートの他の実施形態の正面図（図７Ａ）と、湾曲時の正面図（図７Ｂ）とである。
【図８】本発明に係る立体形状用シートの第二の実施形態の正面図（図８Ａ）と、湾曲時の第一の正面図（図８Ｂ）と、である。
【図９】本発明に係る立体形状用シートの第二の実施形態の湾曲時の第二の正面図（図９Ａ）と、第三の正面図（図９Ｂ）とである。
【図１０】本発明に係る立体形状用シートの第二の実施形態の湾曲時の第四の正面図（図１０Ａ）と、第五の正面図（図１０Ｂ）とである。
【図１１】本発明に係る立体形状用シートの第三の実施形態の正面図（図１１Ａ）と、湾曲時の第一の正面図（図１１Ｂ）と、である。
【図１２】本発明に係る立体形状用シートの第三の実施形態の湾曲時の第二の正面図（図１２Ａ）と、第三の正面図（図１２Ｂ）とである。
【図１３】本発明に係る立体形状用シートの第三の実施形態の湾曲時の第一の背面図（図１３Ａ）と、第二の背面図（図１３Ｂ）とである。
【図１４】本発明に係る立体形状用シートの第三の実施形態の湾曲時の第四の正面図（図１４Ａ）と、第五の正面図（図１４Ｂ）とである。
【図１５】本発明に係る立体形状用シートの第四の実施形態の正面図（図１５Ａ）と、湾曲時の第一の正面図（図１５Ｂ）と、である。
【図１６】本発明に係る立体形状用シートの第四の実施形態の湾曲時の第二の正面図（図１６Ａ）と、第一の底面図（図１６Ｂ）とである。
【図１７】本発明に係る立体形状用シートの第四の実施形態の湾曲時の第二の底面図（図１７Ａ）と、第三の正面図（図１７Ｂ）とである。
【図１８】本発明に係る立体形状用シートの他の実施形態の正面図（図１８Ａ）と、湾曲時の正面図（図１８Ｂ）とである。
【図１９】本発明に係る立体形状用シートの他の実施形態の正面図（図１９Ａ）と、湾曲時の正面図（図１９Ｂ）とである。
【図２０】本発明に係る立体形状用シートの第五の実施形態の正面図（図２０Ａ）と、湾曲時の第一の正面図（図２０Ｂ）と、である。
【図２１】本発明に係る立体形状用シートの第五の実施形態の湾曲時の第二の正面図（図２１Ａ）と、第一の側面図（図２１Ｂ）とである。
【図２２】本発明に係る立体形状用シートの第五の実施形態の湾曲時の第二の側面図（図２２Ａ）と、第三の正面図（図２２Ｂ）とである。
【図２３】本発明に係る立体形状用シートについて、クリスマスがテーマである場合の３つの異なる実施形態を組み合わせた正面図である。
【図２４】本発明に係る立体形状用シートについて、クリスマスがテーマである場合の３つの異なる実施形態を組み合わせた正面図である。
【発明を実施するための形態】
【００１３】
以下に、添付図面を参照して、本発明の実施形態について説明し、本発明の理解に供する。尚、以下の実施形態は、本発明を具体化した一例であって、本発明の技術的範囲を限定する性格のものではない。
【００１４】
先ず、本発明の第一の実施形態について説明する。本発明の第一の実施形態に係る立体形状用シート１は、図１Ａに示すように、本体部１０と、外縁用の切り込み１１と、差込用の第一の切り込み１２ａと、差込用の第二の切り込み１２ｂと、を備える。
【００１５】
本体部１０は、シート状であり、キャラクターの顔１０ａが表面の中央付近に記載され、前記キャラクターの顔１０ａに対して上方の第一の部分１０ｂと、下方の第二の部分１０ｃとを区分する。例えば、キャラクターは、猫であり、シートの右側中央に設けられる。又、猫の顔１０ａの首から上方に位置する上下逆のＬ字状の部分は、第一の部分１０ｂとして区分され、猫の顔１０ａの首から下方に位置する四角形の部分は、第二の部分１０ｃとして、区分される。
【００１６】
外縁用の切り込み１１は、シート１０の右側中央の端部から猫の顔１０ａの耳の外縁を描き、猫の顔１０ａの外縁の一部（首）までを切り取っている。これにより、猫の顔１０ａは首を介して第二の部分１０ｃに接続される。尚、切り込み１１は、予め切り込みを入れていても良いし、ユーザがハサミ等で切り込みを入れても良い。
【００１７】
差込用の第一の切り込み１２ａは、第一の部分１０ｂのうち、左側上方の端部から左側下方に向かって傾斜状に設けられ、差込用の第二の切り込み１２ｂは、第二の部分１０ｃのうち、左側下方の端部から右側上方に向かって傾斜状に設けられている。又、第二の部分１０ｃには、右側上方の端部から左側下方の端部まで傾斜状に折り曲げ線１３が設けられている。
【００１８】
このようなシート１において、図１Ｂに示すように、第一の部分１０ｂを第二の部分１０ｃ（裏面）に向かって湾曲させることで、猫の顔１０ａを立てる。すると、図２Ａに示すように、第一の部分１０ｂの差込用の第一の切り込み１２ａが差込用の第二の部分１０ｃの第二の切り込み１２ｂに対向する。
【００１９】
次に、図２Ａに示すように、第一の部分１０ｂの上下逆のＬ字状の右側部分１０ｄを外部（裏面）に向かって湾曲させて、図２Ｂに示すように、差込用の第一の切り込み１２ａと差込用の第二の切り込み１２ｂとの間に配置する。すると、湾曲後の第一の部分１０ｂの上下逆のＬ字状の右側部分１０ｄは、外部に突出される。ここで、折り曲げ線１３で第二の部分１０ｃを裏面に向かって折り曲げることで、第二の部分１０ｃの折り曲げ線１３から下側までの部分が設置面（基面）になるとともに、差込用の第一の切り込み１２ａを差込用の第二の切り込み１２ｂに差し込み易くなる。
【００２０】
そして、図３Ａに示すように、差込用の第一の切り込み１２ａを差込用の第二の切り込み１２ｂに引き寄せ、接近させ、差し込む。これにより、第一の部分１０ｂと第二の部分１０ｃで筒を形成し、その筒の穴から第一の部分１０ｂの上下逆のＬ字状の右側部分１０ｄが外部に突出した状態となる。
【００２１】
又、基面を下面に載置し、猫の顔１０ａを正面に向けると、図３Ｂに示すように、猫の顔１０ａを浮き立たせた立体形状が作成される。図３Ｂでは、第一の部分１０ｂと第二の部分１０ｃの筒が猫の胴体となり、第一の部分１０ｂの上下逆のＬ字状の右側部分１０ｄが猫の尻尾となる。
【００２２】
このように、本発明の第一の実施形態では、一枚のシート１０に所定の切り込み１１、１２を入れ、第一の部分１０ｂを第二の部分１０ｃに向かって湾曲させ、差込用の第一の切り込み１２ａを差込用の第二の切り込み１２ｂに差し込むことで、猫（キャラクター）の立体形状を簡単に作成することが出来る。又、キャラクターの立体形状には、従来に無い湾曲工程による丸みを帯びた部分（湾曲部分）があるため、奥行きがある立体性を有し、ユーザは、今までに無い驚きや楽しさを味わうことが出来る。
【００２３】
更に、立体形状の固定は、差込用の第一の切り込み１２ａを差込用の第二の切り込み１２ｂに差し込んで止めるだけであるため、糊等の接着剤を不要とし、大人から子供まで誰でも組み立てることが出来る。そして、一枚のシート１０を全て使い切り、裁ち落としが無く、立体形状の完成後に紙屑が出ないことから、掃除の手間が不要となる。
【００２４】
ここで、第一の実施形態では、キャラクターとして猫を採用したが、例えば、動物、植物、飲食用具、食器、飲食物、人物の各部、人物像、道具、服装、装飾品、建物、風景、文字（アルファベット、平仮名、片仮名、漢字等）等を採用することが出来る。又、季節に合わせて、ハローウィンのお化け、お雛祭り、鯉のぼり等のキャラクターを採用しても良い。又、キャラクターの一部１０ａは、キャラクターの代表的な部分の顔を想定する。
【００２５】
又、本体部１０の表面には、キャラクターの一部１０ａの他に、キャラクターに適した、文字、図柄、模様のいずれか、又はこれらの組み合わせを施しても良い。又、本発明の本体部１０（シート）の素材に特に限定は無く、例えば、紙、プラスチック、段ボール、弾性体等の可撓性を有する素材を採用することが出来る。
【００２６】
例えば、キャラクターの猫を、正月の獅子舞に変更しても良い。図４Ａに示すように、本体部１０は、獅子舞の顔１０ａを表面の中央付近に記載して、第一の部分１０ｂと第二の部分１０ｃとに区分し、外縁用の切り込み１１は、シート１０の右側中央の端部から獅子舞の顔１０ａの耳の外縁を描き、獅子舞の顔１０ａの外縁の首までを切り取る。差込用の第一の切り込み１２ａは、第一の部分１０ｂのうち、右側上方の端部から右側下方に向かって傾斜状に設けられ、差込用の第二の切り込み１２ｂは、第二の部分１０ｃのうち、左側の端部から右側下方に向かって傾斜状に設けられている。折り曲げ線１３は、上述と同様である。
【００２７】
そして、図４Ｂに示すように、第一の部分１０ｂを第二の部分１０ｃに向かって湾曲させることで、獅子舞の顔１０ａを立て、差込用の第一の切り込み１２ａを差込用の第二の切り込み１２ｂに対向させて、差し込むことで、獅子舞の顔１０ａを浮き立たせた立体形状を形成する。この場合、第二の部分１０ｃが、獅子舞の尻尾となる。このように構成しても、本発明の作用効果を得ることが出来る。
【００２８】
ここで、上述では、外縁用の切り込み１１を本体部１０の端部から顔１０ａの外縁の首まで切り込むように構成したが、他の構成でも良い。例えば、図５Ａに示すように、本体部１０は、クリスマスのサンタクロースの顔１０ａを表面の中央付近に記載して、サンタクロースの顔１０ａに対して右側上方の第一の部分１０ｂと、下方の第二の部分１０ｃとに区分し、外縁用の切り込み１１は、シート１０の左側端部からサンタクロースの顔１０ａの帽子を通過し、顔１０ａの下方の外縁まで、６の字を描いて切り取っている。差込用の第一の切り込み１２ａは、第一の部分１０ｂの右側下方の端部から右側上方に向かって傾斜状に設けられ、差込用の第二の切り込み１２ｂは、第二の部分１０ｃの下側中央の端部から右側上方に向かって傾斜状に設けられている。又、サンタクロースの顔１０ａの左右には、顔１０ａの頬をイメージするために、第一の折り曲げ線１３ａと第二の折り曲げ線１３ｂとが円弧状に左右対称で設けられる。そして、サンタクロースの顔１０ａと第二の部分１０ｃの接続境界を示すように、第三の折り曲げ線１３ｃが、６の字の外縁用の切り込み１１の左側下方から右側下方に向かって外縁用の切り込み１１の先端までに傾斜状に設けられる。
【００２９】
そして、図５Ｂに示すように、先ず、第一の折り曲げ線１３ａと、第二の折り曲げ線１３ｂと、第三の折り曲げ線１３ｃとをそれぞれ山折りで折り曲げ、次に、第一の部分１０ｂを第二の部分１０ｃに向かって湾曲させることで、サンタクロースの顔１０ａを立て、差込用の第一の切り込み１２ａを差込用の第二の切り込み１２ｂに対向させて、差し込むことで、サンタクロースの顔１０ａを浮き立たせた立体形状を形成する。このように構成しても、本発明の作用効果を得ることが出来る。
【００３０】
又、上述では、外縁用の切り込み１１を本体部１０の端部から内部へ向かって切り込むように構成したが、他の構成でも良い。例えば、図６Ａに示すように、本体部１０は、正月の鶴の顔１０ａを表面の中央付近に記載して、鶴の顔１０ａに対して右側上方の第一の部分１０ｂと、下方の第二の部分１０ｃとに区分し、外縁用の切り込み１１は、シート１０の中央付近に記載された鶴の顔１０ａの下方の外縁及びクチバシを描いて切り取っている。差込用の第一の切り込み１２ａは、第一の部分１０ｂのうち、右側上方の端部から左側上方に向かって傾斜状に設けられ、差込用の第二の切り込み１２ｂは、第二の部分１０ｃのうち、下側中央の端部から右側上方で、且つ、鶴の顔１０ａのクチバシに向かって傾斜状に設けられている。尚、差込用の第二の切り込み１２ｂは、鶴の顔１０ａのクチバシの先端の外縁用の切り込み１１に接続しない。更に、第一の折り曲げ線１３ａが、鶴の顔１０ａの中央からクチバシまでに傾斜状に設けられ、第二の折り曲げ線１３ｂが、差込用の第二の切り込み１２ｂの先端から鶴の顔１０ａのクチバシの先端までに傾斜状に設けられ、第三の折り曲げ線１３ｃが、差込用の第二の切り込み１２ｂの先端から外縁用の切り込み１１の右側の先端までに傾斜状に設けられる。又、脚用の切り込み１４が、本体部１０の上方の端部から左側下方に向かって傾斜状に設けられる。
【００３１】
そして、図６Ｂに示すように、先ず、第一の折り曲げ線１３ａと、第二の折り曲げ線１３ｂと、第三の折り曲げ線１３ｃとをそれぞれ山折りで折り曲げ、次に、第一の部分１０ｂを第二の部分１０ｃに向かって湾曲させることで、鶴の顔１０ａを立て、差込用の第一の切り込み１２ａを差込用の第二の切り込み１２ｂに対向させて、差し込むことで、鶴の顔１０ａを浮き立たせた立体形状を形成する。この場合、脚用の切り込み１４が、鶴の脚となる。このように構成しても、本発明の作用効果を得ることが出来る。
【００３２】
又、上述では、キャラクターの顔１０ａの上下に第一の部分１０ｂと第二の部分１０ｃとが生じるように本体部１０を構成したが、他の構成でも良い。例えば、図７Ａに示すように、正月の門松の竹１０ａをキャラクターの顔とし、本体部１０は、正月の門松の竹１０ａを表面の左側上方に記載して、門松の竹１０ａに対して右側上方の第一の部分１０ｂと、右側下方の第二の部分１０ｃとに区分し、外縁用の切り込み１１は、シート１０の上側中央の端部から門松の竹１０ａの右側の外縁を傾斜状に描き、門松の竹１０ａの下方までを切り取る。これにより、門松の竹１０ａと右側下方の第二の部分１０ｃとは接続される。差込用の第一の切り込み１２ａは、第一の部分１０ｂのうち、右側上方の端部から右側下方に向かって傾斜状に設けられ、差込用の第一の切り込み１２ｂは、第一の部分１０ｂの上側の端部から下方に向かって左右逆のＬ字状に設けられ、差込用の第二の切り込み１２ｂは、第二の部分１０ｃの左側下方の端部から左側上方に向かって傾斜状に設けられている。更に、第一の折り曲げ線１３ａが、外縁用の切り込み１１の先端からシート１０の左側下方の端部までに設けられ、更に、第二の折り曲げ線１３ｂが、外縁用の切り込み１１の先端からシート１０の左側下方の端部までに、第一の折り曲げ線１３ａよりも傾斜が緩やかなに設けられている。又、脚用の第一の切り込み１４ａが、外縁用の切り込み１１の左側上方から右側下方に向かって傾斜状に設けられ、脚用の第二の切り込み１４ｂが、外縁用の切り込み１１の先端の左側から右側上方に向かって傾斜状に設けられている。
【００３３】
そして、図７Ｂに示すように、先ず、第一の折り曲げ線１３ａと、第二の折り曲げ線１３ｂとをそれぞれ山折りで折り曲げ、次に、第一の部分１０ｂを第二の部分１０ｃに向かって湾曲させることで、門松の竹１０ａを立て、差込用の第一の切り込み１２ａを差込用の第二の切り込み１２ｂに対向させて、差し込むことで、第二の部分１０ｂと第二の部分１０ｃとで筒を形成し、その中に門松の竹１０ａが出るようにすることで、門松の竹１０ａを浮き立たせた立体形状を形成する。この場合、脚用の第一の切り込み１４ａと脚用の第二の切り込み１４ｂが、門松の脚となる。このように構成しても、本発明の作用効果を得ることが出来る。
【００３４】
次に、本発明の第二の実施形態について説明する。本発明の第二の実施形態では、外縁用の切り込みを二つ設けて、シートの湾曲部分を変更して、異なる立体形状を作成している。
【００３５】
本発明の第二の実施形態に係る立体形状用シート１は、図８Ａに示すように、本体部１０と、外縁用の第一の切り込み１１ａと、外縁用の第二の切りこみ１１ｂと、差込用の第一の切り込み１２ａと、差込用の第二の切り込み１２ｂと、を備える。キャラクターの顔１０ａは、ハローウィンのかぼちゃお化け（ジャック・オー・ランタン）の顔であり、かぼちゃお化けの顔１０ａは、シート１０の右寄りの中央に設けられる。又、かぼちゃお化けの顔１０ａから上方に位置する上下逆のＬ字状の部分は、第一の部分１０ａとして区分され、かぼちゃお化けの顔１０ａから下方に位置する左右逆のＬ字状の部分は、第二の部分１０ｃとして、区分される。
【００３６】
外縁用の第一の切り込み１１ａは、シート１０の左側下方の端部からかぼちゃお化けの顔１０ａの上方の外縁の一部（途中）までを切り取っている。外縁用の第二の切り込み１１ｂは、シート１０の右側中央の端部からかぼちゃお化けの顔１０ａの下方の外縁の途中まで切り取っている。これにより、かぼちゃお化けの顔１０ａの右側上方は、第一の部分１０ｂに接続され、かぼちゃお化けの顔１０ａの左側下方は、第二の部分１０ｃに接続される。
【００３７】
そして、差込用の第一の切り込み１２ａは、第一の部分１０ｂのうち、外縁用の第一の切り込み１１ａの中央の端部から左側上方に向かって直線状に設けられ、差込用の第二の切り込み１２ｂは、第二の部分１０ｃの右側下方の端部から右側上方に向かって傾斜状に設けられている。
【００３８】
このようなシート１において、図８Ｂに示すように、第一の部分１０ｂを第二の部分１０ｃ（裏面）に向かって湾曲させることで、かぼちゃお化けの顔１０ａを立位させる。次に、図９Ａに示すように、湾曲させた第一の部分１０ｂの先端部分１０ｄ（左側部分）を表面に向かって湾曲させて、かぼちゃお化けの顔１０ａを正面にして、図９Ｂに示すように、湾曲させた第一の部分１０ｂの先端部分１０ｄを裏面に向かって湾曲させると、かぼちゃお化けの顔１０ａと第二の部分１０ｃとの間の外縁用の第二の切り込み１１ｂに入れ込む。すると、第一の部分１０ｂの差込用の第一の切り込み１２ａが第二の部分１０ｃの差込用の第二の切り込み１２ｂに対向する。
【００３９】
そして、図１０Ａに示すように、差込用の第一の切り込み１２ａを差込用の第二の切り込み１２ｂに引き寄せ、接近させ、差し込む。これにより、第一の部分１０ｂと第二の部分１０ｃで筒を形成し、この筒を下面に載置することで、図１０Ｂに示すように、かぼちゃお化けの顔１０ａを浮き立たせた立体形状が作成される。図１０Ｂでは、第一の部分１０ｂと第二の部分１０ｃの筒がかぼちゃお化けの胴体となり、第一の部分１０ｂの先端部分１０ｄは背面に延出される。このように構成しても、本発明の作用効果を得ることが出来る。
【００４０】
次に、本発明の第三の実施形態について説明する。本発明の第三の実施形態では、外縁用の切り込みを二つ設けるとともに、差込用の切り込みを三つ設けて、シートの湾曲部分を変更して、異なる立体形状を作成している。
【００４１】
本発明の第三の実施形態に係る立体形状用シート１は、図１１Ａに示すように、本体部１０と、外縁用の第一の切り込み１１ａと、外縁用の第二の切りこみ１１ｂと、差込用の第一の切り込み１２ａと、差込用の第二の切り込み１２ｂと、差込用の第三の切り込み１２ｃと、を備える。キャラクターの顔及び胴体１０ａは、お雛祭りのひな人形（女性）の顔及び胴体であり、ひな人形の顔及び胴体１０ａは、シート１０の上側の中央から左側に向かって中央まで略長方形状に設けられる。又、ひな人形の顔及び胴体１０ａから左側に位置する略三角形状の部分は、第一の部分１０ｂとして区分され、ひな人形の顔及び胴体１０ａから右側に位置する略台形状の部分は、第二の部分１０ｃとして、区分される。
【００４２】
外縁用の第一の切り込み１１ａは、左右逆の３の字状であり、シート１０の上側中央の端部から、ひな人形の顔の左側の外縁を通り、ひな人形の胴体の左側の外縁の一部までを切り取っている。外縁用の第二の切り込み１１ｂは、シート１０の上側中央の端部から左側下方に向かう傾斜線状であり、シート１０の上側中央の端部からひな人形の顔及び胴体１０ａの右側の外縁の一部までを切り取っている。これにより、ひな人形の顔及び胴体１０ａの左側下方は、第一の部分１０ｂに接続され、ひな人形の顔及び胴体１０ａの右側下方は、第二の部分１０ｃに接続される。尚、外縁用の第二の切り込み１１ｂの先端からシート１０の左側下方までに第一の折り曲げ線１３ａが設けられ、更に、外縁用の第二の切り込み１１ｂの先端からシート１０の左側下方までに、第一の折り曲げ線１３ａよりも傾斜が緩やかな第二の折り曲げ線１３ｂが設けられている。
【００４３】
そして、差込用の第一の切り込み１２ａは、第一の部分１０ｂの上側の端部から左側下方に向かって左右逆のＮ字状で、且つ、下方へ向かって長い直線を有する形状に設けられ、差込用の第二の切り込み１２ｂは、第二の部分１０ｃの上側の端部から下方に向かって左右逆のＬ字状に設けられ、差込用の第三の切り込み１２ｃは、第二の部分１０ｃの左側下方の端部から左側上方に向かって傾斜状に設けられている。そのため、差込用の第三の切り込み１２ｃは、差込用の第二の切り込み１２ｂと対向する。
【００４４】
このようなシート１において、図１１Ｂに示すように、ひな人形の顔を第一の部分１０ｂの差込用の第一の切り込み１２ａに差し込んで、第一の部分１０ｂを裏面に向かって湾曲させることで、図１２Ａに示すように、ひな人形の顔が差込用の第一の切り込み１２ａの長い直線に入って、ひな人形の顔が立ち上がる。この際に、シート１０を第二の折り曲げ線１３ｂに沿って折り曲げると、ひな人形の顔及び胴体１０ａが下方へ下げ易くなり、ひな人形の顔を第一の部分１０ｂの差込用の第一の切り込み１２ａに差し込み易くなる。
【００４５】
次に、図１２Ｂに示すように、ひな人形の顔及び胴体１０ａと、第一の部分１０ｂとを第二の部分１０ｃ（裏面）に向かって湾曲させることで、ひな人形の顔及び胴体１０ａと第一の部分１０ｂが立位する。この際に、シート１０を第一の折り曲げ線１３ａに沿って折り曲げると、ひな人形の顔及び胴体１０ａが立位し易くなる。
【００４６】
そして、第二の部分１０ｃでひな人形の顔及び胴体１０ａを挟むように、第二の部分１０ｃの上方部分１０ｄ（図１２Ｂでは、右方部分）を裏面に向かって湾曲させて、第二の部分１０ｃの下方部分１０ｅ（図１２Ｂでは、左方部分）に接近させて、筒を形成すると、図１３Ａに示すように、背面において、第二の部分１０ｃの差込用の第二の切り込み１２ｂは、第二の部分１０ｃの差込用の第三の切り込み１２ｃに対向する。
【００４７】
図１３Ｂに示すように、差込用の第二の切り込み１２ｂを差込用の第三の切り込み１２ｃに引き寄せ、接近させ、差し込む。これにより、第二の部分１０ｃで筒を形成する。更に、図１４Ａに示すように、ひな人形の顔及び胴体１０ａを正面に向け、筒を下面に載置することで、図１４Ｂに示すように、ひな人形の顔を浮き立たせた立体形状が作成される。図１４Ｂでは、第一の部分１０ｂが内衣服となり、第二の部分１０ｃが外衣服となる。このように構成しても、本発明の作用効果を得ることが出来る。
【００４８】
次に、本発明の第四の実施形態について説明する。本発明の第四の実施形態では、外縁用の切り込みを一つ、差込用の切り込みを二つ設けるとともに、胴体用の切り込みを二つ、胴体差込用の切り込みを四つ設けて、シートの湾曲部分を変更して、異なる立体形状を作成している。
【００４９】
本発明の第四の実施形態に係る立体形状用シート１は、図１５Ａに示すように、本体部１０と、外縁用の第一の切り込み１１と、差込用の第一の切り込み１２ａと、差込用の第二の切り込み１２ｂと、胴体用の第一の切り込み１４ａと、胴体用の第二の切り込み１４ｂと、胴体差込用の第一の切り込み１５ａと、胴体差込用の第二の切り込み１５ｂと、胴体差込用の第三の切り込み１５ｃと、胴体差込用の第四の切り込み１５ｄと、を備える。
【００５０】
キャラクターの顔１０ａは、サンタクロースの顔であり、サンタクロースの顔１０ａは、シート１０の左寄りの中央から上方までに略三角形状で設けられる。又、サンタクロースの顔１０ａから下方に位置する小さな略四角形状の部分は、第一の部分１０ａとして区分され、サンタクロースの顔１０ａから右方に位置する大きな略三角形状の部分は、第二の部分１０ｃとして、区分される。
【００５１】
外縁用の切り込み１１は、シート１０の左側上方の端部からサンタクロースの顔１０ａの下方の外縁の一部（途中）までを左右逆のＬ字状に切り取っている。これにより、サンタクロースの顔１０ａの左側下方は、第一の部分１０ｂに接続される。
【００５２】
そして、差込用の第一の切り込み１２ａは、第一の部分１０ｂのうち、左側下方の端部から上方に向かって左右逆のＬ字状に設けられ、差込用の第二の切り込み１２ｂは、第二の部分１０ｃのうち、外縁用の切り込み１１の右側中央の端部から右側上方に向かって傾斜した左右逆のＬ字状に設けられている。
【００５３】
又、胴体用の第一の切り込み１４ａは、第二の部分１０ｃのうち、右側下方の端部から上方中央に向かって円弧状にシート１０の半分まで設けられており、胴体差込用の第一の切り込み１５ａは、第二の部分１０ｃの上方中央の端部から下方中央に向かって傾斜状に設けられ、胴体差込用の第二の切り込み１５ｂは、第二の部分１０ｃで、且つ、胴体用の第一の切り込み１４ａのうち、右側下方の端部から右側下方に向かって傾斜状に設けられる。
【００５４】
胴体用の第二の切り込み１４ｂは、第二の部分１０ｃのうち、右側上方の端部から左側下方に向かって傾斜状にシート１０の１／３まで設けられ、胴体差込用の第三の切り込み１５ｃは、第二の部分１０ｃのうち、右側中央の端部から左側下方に向かって傾斜状に設けられ、胴体差込用の第四の切り込み１５ｄは、第二の部分１０ｃで、且つ、胴体用の第二の切り込み１４ｂの右側上方の端部から右側に向かって直線状に設けられる。
【００５５】
又、サンタクロースの顔１０ａの上方には、帽子をイメージするために、第一の折り曲げ線１３ａと第二の折り曲げ線１３ｂとが直線状に平行して設けられ、サンタクロースの顔１０ａの左右には、顔１０ａの頬をイメージするために、第三の折り曲げ線１３ｃと第四の折り曲げ線１３ｄとが円弧状に左右対称で設けられる。
【００５６】
このようなシート１において、図１５Ｂに示すように、第一の部分１０ｂを第二の部分１０ｃ（裏面）に向かって湾曲させることで、サンタクロースの顔１０ａを立てる。すると、第一の部分１０ｂの差込用の第一の切り込み１２ａが第二の部分１０ｃの差込用の第二の切り込み１２ｂに対向する。又、サンタクロースの顔１０ａの第一の折り曲げ線１３ａと第二の折り曲げ線１３ｂと第三の折り曲げ線１３ｃと第四の折り曲げ線１３ｄとを折り曲げて、サンタクロースの顔１０ａを形作る。
【００５７】
そして、図１６Ａに示すように、差込用の第一の切り込み１２ａを、差込用の第二の切り込み１２ｂに引き寄せ、接近させ、差し込む。すると、第二の部分１０ｃの胴体差込用の第一の切り込み１５ａは、第二の部分１０ｃの胴体差込用の第二の切り込み１５ｂに対向する。そのため、胴体用の第一の切り込み１４ａにより形成される第二の部分１０ｃの右側下方の部分１０ｄを裏面に向かって湾曲させて、図１６Ｂに示すように、胴体差込用の第一の切り込み１５ａを、胴体差込用の第二の切り込み１５ｂに引き寄せ、接近させ、差し込む。すると、第二の部分１０ｃの右側下方の部分１０ｄでの筒が形成される。
【００５８】
次に、第二の部分１０ｃの胴体差込用の第三の切り込み１５ｃは、第二の部分１０ｃの胴体差込用の第四の切り込み１５ｄに対向するため、胴体用の第二の切り込み１４ｂにより形成される第二の部分１０ｃの右側上方の部分１０ｅを裏面に向かって湾曲させて、図１７Ａに示すように、胴体差込用の第三の切り込み１５ｃを、胴体差込用の第四の切り込み１５ｄに引き寄せ、接近させ、差し込む。これにより、第二の部分１０ｃの右側上方の部分１０ｅでの筒を形成し、この筒を下面に載置することで、図１７Ｂに示すように、サンタクロースの顔１０ａを浮き立たせた立体形状が作成される。図１７Ｂでは、第二の部分１０ｃの右側上方の部分１０ｅでの筒が胴体となり、第一の部分１０ｂが背面側のマントとなり、第二の部分１０ｃが正面側のマントとなる。このように構成しても、本発明の作用効果を得ることが出来る。
【００５９】
ここで、上述では、サンタクロースの立体形状を浮き立たせるために、胴体差込用の第一の切り込み１５ａと、胴体差込用の第二の切り込み１５ｂとを設けたが、これらを無くすとともに、背面を一体化させるように構成しても良い。例えば、図１８Ａに示すように、シートの中央に四角状の部分１８を設け、この四角状の部分１８に、上述と同様に、サンタクロースの顔１０ａと第一の部分１０ｂと第二の部分１０ｃとで構成される本体部１０と、外縁用の第一の切り込み１１と、差込用の第一の切り込み１２ａと、差込用の第二の切り込み１２ｂと、胴体用の第一の切り込み１４ａと、胴体用の第二の切り込み１４ｂと、胴体差込用の第三の切り込み１５ｃと、胴体差込用の第四の切り込み１５ｄと、を備える。
【００６０】
ここで、シートのうち、四角状の部分１８以外の部分１９は、第二の部分１０ｃとのみ接続させ、設置面を形成するために、第二の部分１０ｃの基線と平行な対角線に沿う上方側の設置面用の切り込み１９ａと、下方側の設置面用の切り込み１９ｂとを設ける。又、上方側の設置面用の切り込み１９ａの先端から対角線に沿う第一の折り曲げ線１９ｃと、上方側の設置面用の切り込み１９ａの先端から対角線と直角で、且つ、第二の部分１０ｃと対向する方向に沿う第二の折り曲げ線１９ｄとを設ける。更に、下方側の設置面用の切り込み１９ｂの先端から対角線に沿う第三の折り曲げ線１９ｅと、下方側の設置面用の切り込み１９ｂの先端から対角線と直角で、且つ、第二の部分１０ｃと対向する方向に沿う第四の折り曲げ線１９ｆとを設ける。
【００６１】
そして、図１８Ｂに示すように、本体部１０の四角状の部分１８は、上述と同様の手順で（胴体差込用の第一の切り込み１５ａと胴体差込用の第二の切り込み１５ｂとの差し込み手順を除く）、サンタクロースの顔１０ａを浮き立たせた立体形状を作成する。次に、第一の折り曲げ線１９ｃと第三の折り曲げ線１９ｅとを谷折りにするとともに、第二の折り曲げ線１９ｄと第四の折り曲げ線１９ｆとを山折りにすることで、設置面と背面とを断面でＬ字状に構成して、サンタクロースが背面から飛び出るようにしても良い。
【００６２】
又、上述では、設置面と背面とを略三角形としたが、他の構成としても良い。例えば、図１９Ａに示すように、シートの中央上方に四角状の部分２０を設け、この四角状の部分２０に、上述と同様に、サンタクロースの顔１０ａと第一の部分１０ｂと第二の部分１０ｃとで構成される本体部１０と、外縁用の第一の切り込み１１と、差込用の第一の切り込み１２ａと、差込用の第二の切り込み１２ｂと、胴体用の第一の切り込み１４ａと、胴体用の第二の切り込み１４ｂと、胴体差込用の第三の切り込み１５ｃと、胴体差込用の第四の切り込み１５ｄと、を備える。更に、本体部１０の右側中央の端部には、背面へ差し込むための背面用の第一の切り込み２０ａが設けられる。
【００６３】
ここで、本体部１０の四角状の部分２０以外の部分２１は、第二の部分１０ｃとのみ接続させ、背面を形成するために、第二の部分１０ｃの基線と平行な中央線に沿う、右側の第一の折り曲げ線２１ａと、左側の第二の折り曲げ線２１ｂとを設ける。又、シートの下方中央の端部には、第二の部分１０ｃの基線と直角な線に沿う、背面用の右側の切り込み２１ｃと、背面用の左側の切り込み２１ｄとを設ける。更に、背面用の右側の切り込み２１ｃの先端と背面用の左側の切り込み２１ｄの先端とを接続する第三の折り曲げ線２１ｅを設け、背面用の右側の切り込み２１ｃと背面用の左側の切り込み２１ｄとの間に、本体部１０の背面用の切り込み２０ａに差し込むための背面用の第二の切り込み２１ｆを設ける。
【００６４】
そして、図１９Ｂに示すように、本体部１０の四角状の部分２０は、上述と同様の手順で（胴体差込用の第一の切り込み１５ａと胴体差込用の第二の切り込み１５ｂとの差し込み手順を除く）、サンタクロースの顔１０ａを浮き立たせた立体形状を作成する。次に、右側の第一の折り曲げ線２１ａと左側の第二の折り曲げ線２１ｂとを山折りにするとともに、第三の折り曲げ線２１ｅを山折りにすることで、設置面と背面とを断面で山状に構成して、サンタクロースが背面から飛び出るようにする。そして、サンタクロースの本体部１０の背面用の切り込み２０ａを背面の背面用の第二の切り込み２１ｆに差し込むことで、サンタクロースの本体部１０を背面に固定することが出来る。
【００６５】
次に、本発明の第五の実施形態について説明する。本発明の第五の実施形態では、外縁用の切り込みを一つ、差込用の切り込みを二つ設けるとともに、胴体用の切り込みを一つ、胴体差込用の切り込みを二つ設けて、シートの湾曲部分を変更して、異なる立体形状を作成している。
【００６６】
本発明の第五の実施形態に係る立体形状用シート１は、図２０Ａに示すように、本体部１０と、外縁用の切り込み１１と、差込用の第一の切り込み１２ａと、差込用の第二の切り込み１２ｂと、胴体用の第一の切り込み１４と、胴体差込用の第一の切り込み１５ａと、胴体差込用の第二の切り込み１５ｂと、を備える。
【００６７】
キャラクターの顔及び胴体１０ａは、鯉のぼりの鯉の顔及び胴体であり、鯉の顔及び胴体１０ａは、シート１０の下方から上方までシート１０の２／３程のサイズで略四角形状で設けられる。又、鯉の顔及び胴体１０ａから左側上方に位置する大きな略四角形状の部分は、第一の部分１０ａとして区分され、鯉の顔及び胴体１０ａから右側上方に位置する小さな略四角形状の部分は、第二の部分１０ｃとして、区分される。
【００６８】
外縁用の切り込み１１は、鯉の胴体１０ａの左側上方の外縁の一部について、シート１０の左側上方の端部から右側下方に向かってシート１０の２／３程のサイズで傾斜状に切り取っている。これにより、鯉の顔及び胴体１０ａの上方中央は、第一の部分１０ｂと第二の部分１０ｃに接続される。
【００６９】
そして、差込用の第一の切り込み１２ａは、第一の部分１０ｂのうち、外縁用の切り込み１１の左側上方の端部から右側上方に向かって傾斜状に設けられ、差込用の第二の切り込み１２ｂは、外縁用の切り込み１１の延長線上であって、第二の部分１０ｃの右側の端部から、外縁用の切り込み１１の先端に向かって傾斜状に設けられている。差込用の第二の切り込み１２ｂは、外縁用の切り込み１１と接続されないため、差込用の第二の切り込み１２ｂと外縁用の切り込み１１とにより、第一の部分１０ｂと第二の部分１０ｃとが鯉の尾ひれを形成する。
【００７０】
又、胴体用の切り込み１４は、鯉の胴体１０ａのうち、外縁用の切り込み１１の下方中央の端部から下方に向かって直線状に設けられ、胴体差込用の第一の切り込み１５ａは、鯉の胴体１０ａのうち、右側下方の端部から左側に向かって直線状に設けられ、胴体差込用の第二の切り込み１５ｂは、鯉の胴体１０ａのうち、左側上方の端部から右側上方に向かって傾斜状に設けられる。
【００７１】
このようなシート１において、図２０Ｂに示すように、第一の部分１０ｂを第二の部分１０ｃ（裏面）に向かって湾曲させることで、鯉の顔及び胴体１０ａを立てる。すると、第一の部分１０ｂの差込用の第一の切り込み１２ａが第二の部分１０ｃの差込用の第二の切り込み１２ｂに対向する。
【００７２】
そして、図２１Ａに示すように、差込用の第一の切り込み１２ａを、差込用の第二の切り込み１２ｂに引き寄せ、接近させ、差し込む。すると、第一の部分１０ｂと第二の部分１０ｃとで筒を形成し、鯉の尾ひれを形作る。
【００７３】
ここで、今度は、胴体用の切り込み１４により形成された鯉の顔及び胴体１０ａの左側上方の部分１０ｄを裏面に向かって湾曲させて、図２１Ｂに示すように、胴体差込用の第一の切り込み１５ａを、胴体差込用の第二の切り込み１５ｂに引き寄せ、接近させる。
【００７４】
そして、胴体差込用の第一の切り込み１５ａを、胴体差込用の第二の切り込み１５ｂに差し込むと、図２２Ａに示すように、鯉の顔及び胴体１０ａが筒状になる。これにより、この鯉の顔及び胴体１０ａを正面に向けることで、図２２Ｂに示すように、湾曲状の鯉の顔及び胴体１０ａを浮き立たせた立体形状が作成される。このように構成しても、本発明の作用効果を得ることが出来る。
【００７５】
このように、本発明では、一枚のシートで簡単にキャラクターの立体形状を形成することが出来るため、オリジナルペーパークラフト会、ワークショップ、教室、展示会のＰＯＰ広告等、様々に応用することが出来る。
【００７６】
尚、季節やイベント等のテーマに応じて、上述の複数の実施形態をそれぞれ組み合わせて、一つの立体形状用シートの工作物として提供しても良い。例えば、テーマがクリスマスであれば、図２３に示すように、３つの異なる実施形態を組み合わせても良いし、又、テーマが正月であれば、図２４に示すように、３つの異なる実施形態を組み合わせても良い。
【産業上の利用可能性】
【００７７】
以上のように、本発明に係る立体形状用シートは、立体形状を必要とする業務用又は家庭用の物品保持具として有用であり、簡単な操作で一枚のシートから丸みを帯びたキャラクターの立体形状を作成することが可能な立体形状用シートとして有効である。
【符号の説明】
【００７８】
１  立体形状用シート
１０  本体部
１１  外縁用の切り込み
１２ａ  差込用の第一の切り込み
１２ｂ  差込用の第一の切り込み
【図１】
2019076412.tif 000003
【図２】
2019076412.tif 000004
【図３】
2019076412.tif 000005
【図４】
2019076412.tif 000006
【図５】
2019076412.tif 000007
【図６】
2019076412.tif 000008
【図７】
2019076412.tif 000009
【図８】
2019076412.tif 000010
【図９】
2019076412.tif 000011
【図１０】
2019076412.tif 000012
【図１１】
2019076412.tif 000013
【図１２】
2019076412.tif 000014
【図１３】
2019076412.tif 000015
【図１４】
2019076412.tif 000016
【図１５】
2019076412.tif 000017
【図１６】
2019076412.tif 000018
【図１７】
2019076412.tif 000019
【図１８】
2019076412.tif 000020
【図１９】
2019076412.tif 000021
【図２０】
2019076412.tif 000022
【図２１】
2019076412.tif 000023
【図２２】
2019076412.tif 000024
【図２３】
2019076412.tif 000025
【図２４】
2019076412.tif 000026